(57)【要約】      （修正有）【課題】光放射点の個数に合わせて光ビームパターンの分解能を高めることができる光照射装置、並びに、これを組み込んだイメージング装置及びレーザー加工装置を提供すること。【解決手段】光照射装置１００は、光をそれぞれ通過させる複数の導波路（導光部）３６と、複数の導波路３６に設けた複数の射出ポート３８から射出させる光の位相を調整する位相調整部３１ｂとを備え、複数の射出ポート３８は、最小冗長間隔で配列されている。【選択図】図１
2020112582.tif 000002
【特許請求の範囲】
【請求項１】
光をそれぞれ通過させる複数の導光部と、
前記複数の導光部に設けた複数の射出ポートから射出させる光の位相を調整する位相調整部とを備え、
前記複数の射出ポートは、最小冗長間隔で配列されている、光照射装置。
【請求項２】
前記複数の射出ポートから同時並列的に光を射出させる、請求項１に記載の光照射装置。
【請求項３】
前記複数の射出ポートから選択可能な一対の射出ポートの組合せを全て抽出することによって得られる前記一対の射出ポートの間隔又は間隔ベクトルの集合は、略一様な重複度に設定されている、請求項１及び２のいずれか一項に記載の光照射装置。
【請求項４】
前記複数の射出ポートの配列は、前記複数の射出ポートの個数を固定した場合に空間的な自己相関を略均一な密度で最大限広域にする、請求項１〜３のいずれか一項に記載の光照射装置。
【請求項５】
前記複数の射出ポートは、ゴロム定規を構成するように１次元に配列されている、請求項２及び３のいずれか一項に記載の光照射装置。
【請求項６】
前記複数の射出ポートは、コスタス配列を構成するように２次元に配列されている、請求項２及び３のいずれか一項に記載の光照射装置。
【請求項７】
前記複数の導光部は、複数の導波路である、請求項１〜６のいずれか一項に記載の光照射装置。
【請求項８】
光源部と、前記光源部からの光を分岐して前記複数の導光部に入射させる光分岐部とをさらに備える、請求項１〜７のいずれか一項に記載の光照射装置。
【請求項９】
前記位相調整部に対して制御信号を出力することによって前記複数の射出ポートから射出させる光の合成状態を制御する制御装置をさらに備える、請求項８に記載の光照射装置。
【請求項１０】
前記光源部は、連続波レーザー、もしくは、パルスレーザーを有する、請求項８及び９のいずれか一項に記載の光照射装置。
【請求項１１】
請求項１〜１０のいずれか一項に記載の光照射装置と、
前記光照射装置から射出された光によって照明された対象からの計測光の強度を検出する計測センサーと、
前記計測センサーによって得た検出情報から対象の状態に関する像を抽出する処理を行う情報処理部と
を備えるイメージング装置。
【請求項１２】
前記光照射装置から射出された光の照射強度分布を検出する照明像センサーをさらに備え、前記光照射装置は、ランダムな位相分布の照明光を射出する、請求項１１に記載のイメージング装置。
【請求項１３】
請求項１〜１０のいずれか一項に記載の光照射装置と、
前記位相調整部に対して制御信号を出力することによって前記複数の射出ポートから射出させる光の合成状態を制御する制御装置と
を備えるレーザー加工装置。
【請求項１４】
光源部と、前記光源部からの光を分岐して前記複数の導光部に入射させる光分岐部とをさらに備える、請求項１３に記載のレーザー加工装置。
【発明の詳細な説明】
【技術分野】
【０００１】
本発明は、複数の導光路から位相を制御した光を射出させる光照射装置、並びに、これを組み込んだイメージング装置及びレーザー加工装置に関する。
【背景技術】
【０００２】
光照射装置として、等間隔の格子点上に配列された光放射点から位相が制御された光を射出させることで所望の光ビームパターンを形成する光フェーズドアレイ（ＯＰＡ：optical phased array）が存在する（例えば、非特許文献１）。
【０００３】
しかしながら、等間隔の格子点上に光放射点を配置する場合、光ビームパターンにおいて距離の短い光放射点間に由来する空間周波数成分が支配的となって、光放射点の個数の割に光ビームパターンの分解能を高めることができない。
【０００４】
ラジオ波を受信するためのアンテナについては、リニアアレイの配列として、冗長性を減らしつつ空間周波数による感度を一様にするための配列が考察されている（非特許文献２）。
【先行技術文献】
【非特許文献】
【０００５】
【非特許文献１】"Large-scale nanophotonic phased array" J. Sun, et al., Nature, 493, 195 (2013).
【非特許文献２】"Minimum-Redundancy Linear Arrays" Alan T. Moffet, IEEE Transactions on Antennas and Propagation Vol. AP-16, No. 2, (Mar. 1968).
【発明の概要】
【０００６】
本発明は、光放射点の個数に合わせて光ビームパターンの分解能を高めることができる光照射装置、並びに、これを組み込んだイメージング装置及びレーザー加工装置を提供することを目的とする。
【０００７】
上記目的を達成するため、本発明に係る光照射装置は、光をそれぞれ通過させる複数の導光部と、複数の導光部に設けた複数の射出ポートから射出させる光の位相を調整する位相調整部とを備え、複数の射出ポートは、最小冗長間隔で配列されている。
【０００８】
上記光照射装置では、複数の導光部に設けた複数の射出ポートが最小冗長間隔で配列されているので、射出ポートの数が増大するのを抑えつつ、複数の射出ポートから射出させる光を合わせた光ビームパターンの分解能を高めることができる。
【０００９】
本発明の具体的な側面によれば、上記光照射装置において、複数の射出ポートから同時並列的に光を射出させる。この場合、複数の射出ポートから選択した複数の組合せに対応する光ビーム成分を並列的に形成でき、多様なパターンの光ビームを形成することができる。
【００１０】
本発明の別の側面によれば、複数の射出ポートから選択可能な一対の射出ポートの組合せを全て抽出することによって得られる一対の射出ポートの間隔又は間隔ベクトルの集合は、略一様な重複度に設定されている。この場合、複数の射出ポートから射出される光ビームに関して略均一な空間周波数分布を達成できるので、射出ポート数の増加を抑えつつ分解能を効果的に高めることができる。
【００１１】
本発明のさらに別の側面によれば、複数の射出ポートの配列は、複数の射出ポートの個数を固定した場合に空間的な自己相関を略均一な密度で最大限広域にする。この場合、射出ポート数を最小限としつつ達成可能な最も多い分解可能点数で光ビームパターンを形成することができる。
【００１２】
本発明のさらに別の側面によれば、複数の射出ポートは、ゴロム定規を構成するように１次元に配列されている。ゴロム定規の配列は、間隔の冗長性を最小としたものとなっている。
【００１３】
本発明のさらに別の側面によれば、複数の射出ポートは、コスタス配列を構成するように２次元に配列されている。コスタス配列は、間隔ベクトルの冗長性を最小としたものとなっている。
【００１４】
本発明のさらに別の側面によれば、複数の導光部は、複数の導波路である。この場合、集積回路型の光照射装置の作製が容易になり、光照射装置のサイズの小型化や構造の簡素化を図ることができる。
【００１５】
本発明のさらに別の側面によれば、光源部と、光源部からの光を分岐して複数の導光部に入射させる光分岐部とをさらに備える。この場合、単一の光源によって光照射装置を動作させることができる。
【００１６】
本発明のさらに別の側面によれば、位相調整部に対して制御信号を出力することによって複数の射出ポートから射出させる光の合成状態を制御する制御装置をさらに備える。この場合、制御装置の制御下で光照射装置から出力される光ビームの強度パターンを所望の状態とすることができる。
【００１７】
本発明のさらに別の側面によれば、光源部は、連続波レーザー、もしくは、パルスレーザーを有する。この場合、光照射装置から出力される光ビームパターンを高速で切り換えて、照明、表示、処理等を一連の処理として行うことができる。
【００１８】
上記目的を達成するため、本発明に係るイメージング装置は、上述した光照射装置と、光照射装置から射出された光によって照明された対象からの計測光の強度を検出する計測センサーと、計測センサーによって得た検出情報から対象の状態に関する像を抽出する処理を行う情報処理部とを備える。
【００１９】
上記イメージング装置では、簡素ながら高分解能の光照射装置を用いており、簡素化された処理によって高精度の計測等を行うことができる。
【００２０】
本発明の具体的な側面によれば、上記イメージング装置において、光照射装置から射出された光の照射強度分布を検出する照明像センサーをさらに備え、光照射装置は、ランダムな位相分布の照明光を射出する。
【００２１】
上記目的を達成するため、本発明に係るレーザー加工装置は、上述した光照射装置と、位相調整部に対して制御信号を出力することによって複数の射出ポートから射出させる光の合成状態を制御する制御装置とを備える。
【００２２】
上記レーザー加工装置では、簡素ながら高分解能の光照射装置を用いており、簡素化された処理によって高精度で加工を行うことができる。
【００２３】
本発明の具体的な側面によれば、上記レーザー加工装置において、光源部と、前記光源部からの光を分岐して前記複数の導光部に入射させる光分岐部とをさらに備える。
【図面の簡単な説明】
【００２４】
【図１】（Ａ）は、第１実施形態の光照射装置を説明する概念的なブロック図であり、（Ｂ）は、（Ａ）に示す光照射装置に組み込んだ光フェーズドアレイを説明する概念的な平面図である。
【図２】（Ａ）は、図１（Ｂ）に示す光フェーズドアレイの射出ポートの配列を説明する概念図であり、（Ｂ）は、（Ａ）に示す配列の自己相関を説明する図である。（Ｃ）は、比較例の射出ポートの配列を説明する図であり、（Ｄ）は、比較例の射出ポートの配列の自己相関を説明する図である。
【図３】射出ポートの配列に関する最小冗長間隔を説明するための概念図である。
【図４】（Ａ）は、最小冗長間隔を実現するゴロム定規の配列を構成するように１次元配列されている射出ポートを説明する図であり、（Ｂ）は、コスタス配列を構成するように２次元配列されている射出ポートを説明する図である。
【図５】フェーズドアレイの実装例であり、射出ポートの具体的な１次元配列を説明する平面図である。
【図６】フェーズドアレイの実装例であり、射出ポートの具体的な２次元配列を説明する平面図である。
【図７】（Ａ）は、射出ポートがゴロム定規の最小冗長間隔で１次元配列された具体的実施例（射出ポート数M=12の場合）の光照射装置の自己相関関数を示し、（Ｂ）は、等間隔配列の場合の自己相関関数を示し、（Ｃ）は、ランダム配列の場合の自己相関関数を示す。
【図８】（Ａ）は、具体的実施例（M=27の場合）による１次元光ビームの形成を説明する図であり、（Ｂ）は、具体的実施例による解像点数の達成を説明する図である。
【図９】（Ａ）は、射出ポートが第１タイプの最小冗長間隔で２次元配列された具体的実施例（M=16の場合）の光照射装置の自己相関関数を示し、（Ｂ）は、射出ポートが第２タイプの最小冗長間隔で２次元配列された具体的実施例（M=16の場合）の光照射装置の自己相関関数を示し、（Ｃ）は、射出ポートが等間隔で２次元配列された比較例（M=16の場合）の光照射装置の自己相関関数を示す。
【図１０】（Ａ）は、射出ポートが第１タイプの最小冗長間隔で２次元配列された具体的実施例（M=16の場合）による光ビームの形成を説明する図であり、（Ｂ）は、射出ポートが第２タイプの最小冗長間隔で２次元配列された具体的実施例（M=16の場合）による光ビームの形成を説明する図であり、（Ｃ）は、等間隔配列の場合（M=16の場合）の光ビームの形成を説明する図である。
【図１１】第２実施形態の光照射装置に組み込まれるフェーズドアレイ等を説明する概念的なブロック図である。
【図１２】第３実施形態の光照射装置に組み込まれるフェーズドアレイ等を説明する概念的なブロック図である。
【図１３】第４実施形態の光照射装置を説明する概念的なブロック図である。
【図１４】第５実施形態の光照射装置を説明する概念的なブロック図である。
【図１５】（Ａ）は、射出ポートが最小冗長間隔で１次元配列された具体的実施例（M=16の場合）によるランダム射出パターンを説明する図であり、（Ｂ）は、ゴーストイメージングによる１次元の画像再構成を説明する図である。
【図１６】（Ａ）は、射出ポートが第１タイプの最小冗長間隔で２次元配列された具体的実施例（M=16の場合）によるランダムパターンの形成を説明する図であり、（Ｂ）は、射出ポートが第２タイプの最小冗長間隔で２次元配列された具体的実施例（M=16の場合）によるランダムパターンの形成を説明する図であり、（Ｃ）は、等間隔配列（M=16の場合）の場合のランダムパターンの形成を説明する図である。
【図１７】第６実施形態の光照射装置を説明する概念的なブロック図である。
【発明を実施するための形態】
【００２５】
〔第１実施形態〕
以下、図面を参照して、本発明に係る第１実施形態の光照射装置等について詳細に説明する。
【００２６】
図１（Ａ）に示す第１実施形態の光照射装置１００は、レーザー光Ｂ１を発生する光源部２０と、光源部２０からのレーザー光Ｂ１を受けて所望の波面状態の照射光Ｂ２を形成し射出する光ビーム形成部３０と、光源部２０及び光ビーム形成部３０の動作を統括的に制御する制御装置７０とを備える。図１（Ａ）に示す光照射装置１００は、例えば所期の光パターンを投影するプロジェクターとして用いることができ、照射光パターンによって対象を加工するレーザー加工装置として用いることもできる。
【００２７】
光源部２０は、半導体レーザーその他のコヒーレント光源２１で構成され、光源駆動回路である光源駆動部２２を付随させたものとなっている。光源部２０からは、赤外域、可視域等の各種波長域に設定されたレーザー光Ｂ１が、例えばパルス波又は連続波として射出される。コヒーレント光源２１がパルスレーザーである場合、光源部２０から精密なタイミングでパルス状のレーザー光Ｂ１を射出させることができる。
【００２８】
光ビーム形成部３０は、光フェーズドアレイ（ＯＰＡ）３１と、ＯＰＡ駆動部３２とを有する。
【００２９】
図１（Ｂ）に示すように、光フェーズドアレイ３１は、光導波路型の集積回路であり、基板３１ｓ上に光分岐部３１ａと位相調整部３１ｂとを備え、光源部２０からのレーザー光Ｂ１を受ける光入力部３１ｃと、照射光Ｂ２を出力する光出力部３１ｄとが設けられている。光フェーズドアレイ３１は、例えば数１０μｓ以下の短時間で出力の切り換えが可能であり、高速で動作する照明や加工が可能になる。
【００３０】
光フェーズドアレイ３１において、光分岐部３１ａは、レーザー光Ｂ１をＭ個のチャンネルに分岐してＭ個の導光部であるＭ個の導波路３６に導く。図１（Ｂ）では、一例としてＭ＝８となっているが、値Ｍは、任意の３以上の自然数に設定できる。導波路（導光部）３６は、基板３１ｓが延びるＸＺ面に平行な一方であるＺ方向に延び、Ｚ方向に直交するＸ方向に配列されている。光分岐部３１ａとして、例えばスラブ導波路を有するスターカプラー、多段の方向性結合器を組み合わせたもの等を用いることができる。
【００３１】
位相調整部３１ｂは、Ｍ個のチャンネルの導波路（導光部）３６に対して例えば電界を付与するＭ個の電極３７ａと、各電極３７ａへの電圧供給を可能にする配線３７ｂとからなる。電極３７ａは、Ｍ個の導波路３６に沿った所定幅に亘って形成されている。つまり、電極３７ａは、Ｘ方向にＭ個配列されている。配線３７ｂへの供給電圧は、図１（Ａ）に示すＯＰＡ駆動部３２によって調整されて高速で切り換えが可能になっている。各配線３７ｂに付与する電圧の調整により、各導波路３６を通過するレーザー光Ｂ１の位相状態を個別に制御することができる。位相調整部３１ｂを通過した光フェーズドアレイ３１の各射出ポート３８からは、位相状態が調整された要素光が同時並列的に射出され、光出力部３１ｄからは、個々の要素光を合成した照明光Ｂ２が射出される。つまり、照明光Ｂ２は、±Ｘ方向に所望の位相分布又は波面分布を有する光ビームとされる。ＯＰＡ駆動部３２を介して位相調整部３１ｂの動作を制御することにより、照明光Ｂ２は、例えばＺ軸に対して所望の角度をなす方向に進行する光ビームとされ、Ｚ軸に対する光ビームの角度を増減させることでＸＺ面内での走査も可能になる。
【００３２】
位相調整部３１ｂについては、導波路３６に与える電界強度によって位相を調整する電気光学効果型の変調に限らず、導波路部への電流注入によって位相を調整するキャリア効果型の変調、導波路を加熱することによって位相を調整する熱光学効果型の変調等を利用するものとできる。電気光学効果、キャリア効果、熱光学効果等を利用することで、位相調整部３１ｂを小型かつ安価にでき、信頼性を高めることができ、位相の切り換えを高速化できる。
【００３３】
図示の例では、光フェーズドアレイ３１の光出力部３１ｄに対向してレンズ１００ｃが配置されている。レンズ１００ｃは、所定の焦点距離を有し、例えばレンズ１００ｃの前側焦点位置に光出力部３１ｄが配置されるようにすれば、レンズ１００ｃの後側焦点位置がフーリエ変換面となり、この後側焦点位置を照射面として、この照射面上に光出力部３１ｄから射出される照明光Ｂ２の遠方での波面パターンに対応する遠視野照明パターンを形成することができる。
【００３４】
制御装置７０は、情報処理部７１とインターフェース部７２と記憶部７３とを有する。情報処理部７１は、記憶部７３に保管された駆動情報、制御情報等を含むデータに基づいて、インターフェース部７２、ＯＰＡ駆動部３２、及び光源駆動部２２を介して光フェーズドアレイ３１等を動作させ、所定の位相分布を有する照明光Ｂ２を所定のパターンとして射出させる。入出力部９１には、制御装置７０の制御下で、オペレーターに対して光照射装置１００の動作条件や動作状態に関する種々の情報が提示される。制御装置７０に対しては、入出力部９１を介してオペレーターから指示が入力される。制御装置７０は、ＯＰＡ駆動部３２と協働することにより、光フェーズドアレイ３１の位相調整部３１ｂに対して制御信号を出力することによって複数の射出ポート３８から射出させる光の合成状態を制御するとともにその合成パターンを高速で変化させることができる。
【００３５】
制御装置７０の制御下で光照射装置１００を動作させることにより、対象に対して所望の照射パターンでレーザー光を照射して対象の表面をレーザー加工することができる。また、制御装置７０の制御下で光照射装置１００を動作させることにより、所望の照射パターンで対象の表面等を照明することができる。
【００３６】
図２（Ａ）に示す光出力部３１ｄは、図１（Ｂ）に示す光出力部３１ｄを部分的に取り出したものである。光出力部３１ｄは、例えばＭ＝８個の射出ポート３８からなるポートアレイ１３１ｄを有し、ポートアレイ１３１ｄのアレイ全幅Ｗは、図面上側（＋Ｘ側）の一対の射出ポート３８の間隔に相当する最小幅ｄ１のＭ倍より大きいものとなっている。この場合、図面左側の元のポートアレイ１３１ｄと、配列方向に平行な−Ｘ方向に距離Δｘだけ平行移動させた図面右側のポートアレイ１３１ｄとは、例えば距離Δｘ＝ｄ１の箇所で一対の導波路が一致して配列されるが、他の箇所で導波路が一致しない。距離Δｘを徐々に変化させると、一対の導波路のみが一致して配列される状態がＭ(Ｍ−１)/２回だけ繰り返される。結果的に、図２（Ｂ）に示すように、図２（Ａ）に示す最小冗長間隔のポートアレイ１３１ｄは、自己相関が位置ズレに関して均一な密度で最大限広域にし最大限広帯域に広がるものとなっている。つまり、横の位置ズレに関わらず縦の相関値が全体に亘って略一致している。より具体的にはΔｘ＝０のピーク以外で自己相関値が等しくなっており、最も広がった状態となっている。図２（Ｂ）のチャートにおいて、横軸は平行移動の位置ズレ量に対応する距離Δｘを示し、縦軸は自己相関の値を示す。
【００３７】
図２（Ｃ）は、比較例の光フェーズドアレイ２３１の光出力部３１ｄを説明する図である。比較例の光出力部３１ｄは、従来の均等配列型のものであり、例えばＭ＝８個の射出ポート３８からなり等間隔で配列されたポートアレイ２３１ｄを有する。ポートアレイ２３１ｄのアレイ全幅Ｗは、射出ポート３８の間隔に相当する幅ｄ２（＝ｄ１）のＭ倍に等しくなっている。この場合、図面左側の元のポートアレイ２３１ｄと、配列方向に平行な−Ｘ方向に距離Δｘだけ平行移動させた図面右側のポートアレイ２３１ｄとは、例えば距離Δｘ＝ｄの箇所でＭ−１個の導波路が一致して配列される。距離Δｘを徐々に変化させると、導波路が一致して配列される箇所が徐々に減少する。結果的に、図２（Ｄ）に示すように、図２（Ｃ）に示す均等配列型のポートアレイ２３１ｄは、自己相関が位置ズレに関して狭帯域で非平坦な特性を有するものとなっており、自己相関が狭く偏ったものになっていると言える。
【００３８】
図３は、図１（Ｂ）に示す光フェーズドアレイ３１の光出力部３１ｄにおいて実現されている最小冗長間隔の配列を別の面から説明する図である。光出力部３１ｄに設けた複数の射出ポート３８から射出される照明光Ｂ２のパターンに相当する近視野出力ＩNFP（ｘ）の強度分布Ｐ１は、射出ポート３８の配置を反映して最小冗長間隔の配列に相当するものとなっている。レンズ１００ｃによる後側焦点位置の照射面において、遠視出力ＩFFP（ｘ'）の強度分布Ｐ２は、射出ポート３８からの照明光Ｂ２の射出角度を反映したものとなっている。遠視出力ＩFFP（ｘ'）の強度分布Ｐ２をフーリエ変換した空間スペクトルＳFFP（ｋ）の分布形状Ｐ３は、図２（Ｃ）の自己相関に対応する。つまり、射出ポート３８を最小冗長間隔で配置することで、空間スペクトルの分布形状Ｐ３が均一な密度で最大限広帯域に広がるようにすることができる。その結果、射出ポート３８の個数に制限がある状況下で達成可能な解像点数を最大にするように光ビームパターンを形成することができる。例えば、射出ポート３８の個数と照射可能範囲（FSR：free spectral range）を固定した状況下では、より細かいパターンのイメージングでき、空間分解能を効率的に向上させることができる。
【００３９】
光出力部３１ｄを構成する複数の射出ポート３８を１次元的に最小冗長間隔で配列することは、複数の射出ポート３８から選択可能な一対の射出ポート３８，３８の組合せを全て抽出することによって得られる一対の射出ポート３８，３８の間隔の集合（図２（Ｂ）の横軸を構成する離散的な距離Δｘを実現する組合せに相当）が、略一様な重複度に設定されていることに対応する。この場合、複数の射出ポート３８から射出される照明光Ｂ２によって形成される光ビームに関して１次元的に略均一な空間周波数分布を達成できるので、射出ポート３８の個数の増加を抑えつつ分解能を効果的に高めることができる。
【００４０】
以上では、光フェーズドアレイ３１を構成する光出力部３１ｄがＸ方向に１次元であり、光出力部３１ｄから所望の１次元配列の位相分布又はパターンを有する照明光Ｂ２を射出させるとして説明したが、例えば図１（Ｂ）に示す光フェーズドアレイ３１と同様の構造の光フェーズドアレイをＹ方向に積層することができる。このような積層型の光フェーズドアレイによって、ＸＹ方向に２次元の位相分布を有する照明光Ｂ２を形成し射出させることができる。もしくは、導波路の構造を変更して射出ポートを基板３１ｓ上でＸＺ平面上に２次元配置することにより、基板３１ｓの主面に対して垂直方向に位相を制御したレーザー光を射出させる構造とすることができる。なお、光出力部３１ｄがＸＹ方向に（基板３８の主面に対して垂直方向に取り出す場合はＸＺ方向に）２次元的に配列された複数の射出ポート３８を含む場合も、光出力部３１ｄを構成する複数の射出ポート３８は、最小冗長間隔で２次元配列される。２次元的に配列された複数の射出ポート３８が最小冗長間隔で配列される場合、光出力部３１ｄ又はポートアレイ１３１ｄをアレイ全幅以下で配列方向である±Ｘ方向又は±Ｙ方向に距離Δｘ，Δｙだけ平行移動させたとき、移動前後のポートアレイ１３１ｄの位置的な自己相関が極力均一密度かつ広帯域になるように配置される。
【００４１】
光出力部３１ｄを構成する複数の射出ポート３８を厳密に２次元的に最小冗長間隔で配列することは、複数の射出ポート３８から選択可能な一対の射出ポート３８，３８の組合せを全て抽出することによって得られる一対の射出ポート３８，３８の間隔ベクトルの集合が、略一様な重複度に設定されていることに対応する。この場合、複数の射出ポート３８から射出される照明光Ｂ２によって形成される光ビームに関して２次元的に略均一な空間周波数分布を達成できるので、射出ポート３８の個数の増加を抑えつつ分解能を効果的に高めることができる。
【００４２】
図４（Ａ）は、光出力部３１ｄを構成する複数の射出ポート３８を最小冗長間隔で１次元的に配列する具体的手法を説明する図である。この場合、１次元配列された複数の射出ポート３８から選択可能な一対の射出ポート３８，３８の組合せを全て抽出することによって得られる一対の射出ポート３８，３８の間隔の集合は、最短の間隔を基準として１，２，３，４，５，及び６となっており次第に増加する要素からなる数列を含み、最小冗長間隔の配列が実現されている。射出ポート３８の個数は、Ｍ＝４となっているがこれに限るものではない。図４（Ａ）に示す配列は、ゴロム（Golomb）定規の配列に相当する。つまり、光出力部３１ｄを構成する複数の射出ポート３８は、間隔の冗長性を最小としたゴロム定規を構成するように１次元に配列されている。最小冗長間隔での配列は、厳密なゴロム定規の配列に限らず、一対の射出ポート３８の間隔について若干の重複や欠落がある配列であってもよい。さらに、射出ポート３８の間隔の集合は、単一の数列からなるものを基本とするのではなく、同じ値が均等に繰り返される２重以上の数列からなるものであってもよく、このようなものも最小冗長間隔での配列に含まれる。同様に、最短の間隔を基準として、正確に整数倍の位置に射出ポート３８を配置したものに限らず、整数倍の位置に対して射出ポート３８を若干ずらしたものも最小冗長間隔での配列に含まれる。
【００４３】
図４（Ｂ）は、光出力部３１ｄを構成する複数の射出ポート３８を最小冗長間隔で２次元的に配列する具体例を説明する図である。この場合、２次元配列された複数の射出ポート３８から選択可能な一対の射出ポート３８，３８の組合せを全て抽出することによって得られる一対の射出ポート３８，３８の間隔ベクトルの集合は、互いに異なるものとなっている。より具体的には、光出力部３１ｄは、Ｍ×Ｍの２次元グリッド上にＭ個（図示の例ではＭ＝６３）の点を配置したものであり、いずれの行にも１点が配置されるとともに、いずれの列にも１点が配置され、点から点への間隔ベクトルの集合（合計Ｍ×（Ｍ−１）／２個）を考えて、すべての間隔ベクトルが互いに異なるものとなっている。このような間隔ベクトルの集合を与える射出ポート３８の配列によって、最小冗長間隔の配列が実現されている。図４（Ｂ）に示す配列は、コスタス（Costas）配列に相当する。つまり、光出力部３１ｄを構成する複数の射出ポート３８は、間隔ベクトルの冗長性を最小としたコスタス配列を構成するように２次元に配列されている。最小冗長間隔での配列は、厳密なコスタス定規の配列に限らず、一対の射出ポート３８の間隔ベクトルについて若干の重複等がある配列であってもよく、同じ間隔ベクトルが均等に繰り返される２重以上の数列からなるものであってもよい。
【００４４】
図５は、最小冗長間隔で１次元配列された複数の射出ポート３８を備える光フェーズドアレイ３１の具体的な実装例を説明する平面図である。この場合、基板３１ｓ上にＭ＝６４個の導波路３６が形成され、小冗長間隔で配列されたＭ個の射出ポート３８からなる光出力部３１ｄが形成されている。なお、光分岐部３１ａや位相調整部３１ｂについては図示を省略してきる。図６は、最小冗長間隔で２次元配列された複数の射出ポート３８を備える光フェーズドアレイ３１の具体的な実装例を説明する平面図である。
【００４５】
図７（Ａ）は、Ｍ＝１２個の射出ポート３８を最小冗長間隔で１次元的に配列した場合の自己相関関数を示すチャートである。この場合、位置ズレ量に対応する距離Δｘがゼロの位置を除いて略均一な密度又は可能な限り均一な密度（つまり均一な密度に準じたものと認められる、実現可能な略一様な密度）で広範囲に亘る自己相関分布が達成されていることが分かる。図７（Ｂ）は、Ｍ＝１２個の射出ポート３８を等間隔で１次元的に配列した場合の自己相関関数を示すチャートである。この場合、位置ズレ量に対応する距離Δｘがゼロの位置の周辺に集中した不均一で狭い自己相関分布が形成されていることが分かる。図７（Ｃ）は、Ｍ＝１２個の射出ポート３８をランダムに１次元的に配列した場合の自己相関関数を示すチャートである。ここで、距離Δｘは、０．５〜１．５の範囲でランダムな配置としている。この場合も、位置ズレ量に対応する距離Δｘがゼロの位置の周辺に集中した不均一で狭い自己相関分布が形成されていることが分かる。
【００４６】
図８（Ａ）は、図１（Ａ）に示す光照射装置１００から射出される照明光Ｂ２として光ビームを形成するシミュレーションを行った結果を示している。光ビームを形成するため、位相調整部３１ｂを線形に駆動している。横軸は、画素位置を示し、縦軸は強度を示す。実線は、Ｍ＝２７個の射出ポート３８をゴロム定規に相当する最小冗長間隔で１次元的に配列した場合の合成ビームを示し、破線は、Ｍ＝２７個の射出ポート３８を実線のゴロム定規の最小間隔と等しい等間隔で１次元的に配列した場合の合成ビームを示す。実線で示すように射出ポート３８を最小冗長間隔で配置する方が、ビーム幅を極めて細くすることができ、分解能を高め得ることが分かる。ただし、実線で示す最小冗長間隔で配置した場合、雑音レベルが高くなると認められる。
【００４７】
図８（Ｂ）は、射出ポート数と解像点数との関係を説明する図である。実線は、射出ポートをゴロム定規に相当する最小冗長間隔で１次元的に配列した場合に形成できる解像点数を示し、破線は、射出ポートを等間隔で１次元的に配列した場合に形成できる解像点数を示す。実線で示す解像点数は、Ｍ２に比例して増加し、破線で示す解像点数は、Ｍに比例して増加する。つまり、射出ポートを最小冗長間隔で配列する方が射出ポートを等間隔で配列するよりも圧倒的に有利であると言える。例えばＭ＝２７個の導波路又は射出ポートを用いて最小冗長間隔で配置する場合、Ｍ＝４０９６個の導波路又は射出ポートを用いて等間隔で配置する場合と同様の解像点数を達成できていることが分かる。
【００４８】
図９（Ａ）は、Ｍ＝１６個の射出ポート３８を第１タイプの最小冗長間隔で２次元的に配列した場合の自己相関関数、具体的にはコスタス配列で２次元的に配列した場合の自己相関関数を、３Ｄ表示したチャートである。位置ズレ量に対応する距離Δｘ，Δｙがゼロの位置を除いて略一様で広範囲に亘る自己相関分布が達成されていることが分かる。図９（Ｂ）は、Ｍ＝１６個の射出ポート３８を第２タイプの最小冗長間隔で２次元的に配列した場合の自己相関関数、具体的にはＸ方向にゴロム定規に従って射出ポート３８を配列した１次元アレイを、Ｙ方向にもゴロム定規の間隔で４×４（＝１６）のアレイ状に配列した場合の自己相関関数を、３Ｄ表示したチャートである。なお、図９（Ｂ）のシミュレーションでは、図９（Ａ）と射出ポート３８の最小配列間隔を一致させることで、照射パターンの範囲（FSR）が等しくなるようにしている。この場合、位置ズレ量に対応する距離Δｘ，Δｙがゼロの位置を除いて比較的一様で広範囲に亘る自己相関分布が達成されていることが分かる。ただし、自己相関分布において規則性を持った領域が形成されていることも分かる。図９（Ｃ）は、Ｍ＝１６個の射出ポート３８を等間隔で４×４の２次元アレイ状に配列した場合の自己相関関数を、３Ｄ表示したチャートである。位置ズレ量に対応する距離Δｘ，Δｙがゼロの位置及びその近傍に集中した不均一で狭い自己相関分布が形成されていることが分かる。
【００４９】
図１０（Ａ）は、Ｍ＝１６個の射出ポート３８をコスタス配列に相当する第１タイプの最小冗長間隔で２次元的に配列した場合における合成ビームの形成を示す。この場合、ＦＳＲ間隔で繰り返されるスポット状で細径の光ビームが形成されており、高分解能でのビーム走査が可能であることが分かる。図１０（Ｂ）は、Ｍ＝１６個の射出ポート３８をゴロム定規を縦横に繰り返した第２タイプの最小冗長間隔で４×４の２次元アレイ状に配列した場合における合成ビームの形成を示す。この場合、ＦＳＲ間隔で繰り返されるスポット状で細径の光ビームが形成されており、高分解能でのビーム走査が可能であることが分かる。ただし、細径の光ビームから縦横に延びるサイドローブ状のノイズ分布が存在している。図１０（Ｃ）は、Ｍ＝１６個の射出ポート３８を等間隔で４×４の２次元アレイ状に配列した場合における合成ビームの形成を示す。この場合、ＦＳＲ間隔で繰り返される滲んだ状態の太い光ビームが形成されており、高分解能でビーム走査ができないことが分かる。
【００５０】
以上で説明した第１実施形態の光照射装置１００では、複数の導波路（導光部）３６に設けた複数の射出ポート３８が最小冗長間隔で配列されているので、射出ポート３８の数が増大するのを抑えつつ、複数の射出ポート３８から射出させる光を合わせた光ビームパターンの分解能を高めることができ、かかる光ビームパターンの解像点数を高めることができる。
【００５１】
〔第２実施形態〕
以下、第２実施形態に係る光照射装置等について説明する。第２実施形態に係る光照射装置は、第１実施形態を変形したものであり、特に説明しない部分については、第１実施形態と同様である。
【００５２】
図１１に示すように、第２実施形態の光照射装置に組み込まれる光ビーム形成部３０又は光フェーズドアレイ２３１は、図１（Ｂ）に示す光フェーズドアレイ３１と同様の構造を有する本体部分２３０ａと、本体部分２３０ａの光出力部３１ｄに近接して配置される光結合部２３０ｂと、光結合部２３０ｂの光出力部に近接して配置される多芯バンドルファイバー２３０ｃとを備える。光結合部２３０ｂは、３次元光回路であり、例えばフォトニックランターンを用いることができる。光結合部２３０ｂは、本体部分２３０ａの光出力部３１ｄから射出された１次元の光信号である照明光Ｂ２１を光入射部で受け、１次元の光信号を２次元の光信号である照明光Ｂ２２に変換して光出力部から射出させる。多芯バンドルファイバー２３０ｃは、光結合部２３０ｂの射出部から射出された２次元の光信号である照明光Ｂ２２を入射端３ａで受け、入射端３ａに形成された複数の入射ポートからそれぞれ延びる複数のファイバー（不図示）中に伝搬させ、２次元の光信号である照明光Ｂ２を射出端３ｃから射出させる。射出端３ｃに形成された複数の射出ポート２３８は、最小冗長間隔で２次元的に配列されており、例えばゴロム定規を縦横に繰り返した第２タイプの最小冗長間隔で２次元的に配列されている。なお、本実施形態の場合、本体部分２３０ａの光出力部３１ｄにおいて射出ポート３８を最小冗長間隔で配置する必要はなく等間隔配列としている。
【００５３】
〔第３実施形態〕
以下、第３実施形態に係る光照射装置等について説明する。なお、第３実施形態に係る光照射装置は、第１実施形態を変形したものであり、特に説明しない部分については、第１実施形態と同様である。
【００５４】
第３実施形態の光照射装置では、１次元の光フェーズドアレイ（ＯＰＡ）を用いて２次元の位相分布を有する照明光Ｂ２を形成する。
【００５５】
図１２に示すように、第３実施形態の光照射装置に組み込まれる光ビーム形成部３０又は光フェーズドアレイ３３１は、図１（Ｂ）に示す光フェーズドアレイ３１と同様の構造を有する本体部分３３０ａと、本体部分３３０ａの光出力部３１ｄ側に配置されて、光出力部３１ｄの配列方向に沿って延びる分岐部であるプリズム３３０ｂとを備える。導波路３６を経て光出力部３１ｄから射出された照明光Ｂ２は、光出力部３１ｄの配列方向に関して位相分布を有している。照明光Ｂ２は、プリズム３３０ｂを経て光出力部３１ｄの配列方向に直交する方向に偏向されるが、この際、照明光Ｂ２の波長成分に応じて偏向角が異なる。従って、光源光Ｂ１２の波長を掃引することで、光射出部３１ｄの配列方向に直交する方向にビームを走査しながら、光射出部３１ｄの配列方向には、光フェーズドアレイ３３１により所望のビームを形成することができる。あるいは、広帯域光源を用いることで、波長成分に分割された２次元の位相分布を有する照明光Ｂ２を形成することもできる。
【００５６】
プリズム３３０ｂを用いる代わりに、回折格子を用いることもできる。さらに、光出力部３１ｄの箇所に回折格子型結合器を集積し、基板３１ｓに対して垂直方向に光を取り出すようにしても同じ効果が得られる。また、光源部２０として広帯域の光源を用いる代わりに、波長可変光源を用いて波長を経時的に掃引することもできる。
【００５７】
〔第４実施形態〕
以下、第４実施形態に係るイメージング装置等について説明する。なお、第４実施形態に係るイメージング装置は、第１実施形態の光照射装置を組み込んだものであり、特に説明しない部分については、第１実施形態と同様である。
【００５８】
図１３に示すように、第４実施形態のイメージング装置２００は、図１に示す構造を有する光照射装置１００の他に、照明用及び計測用の観察光学系４０と、照明光Ｂ２によって照明された対象ＯＢからの計測光Ｂ３の強度を検出する受光素子６０とを備える。
【００５９】
観察光学系４０は、分岐ミラー４３と、複数のレンズＬ１，Ｌ２とを備える。分岐ミラー４３は、一様な透過率又は反射率を有するハーフミラーである。分岐ミラー４３は、光フェーズドアレイ３１からの照明光Ｂ２を部分的に透過させて対象ＯＢに入射させるとともに、対象ＯＢの表面ＯＢａでの散乱によって反射された戻り光である計測光Ｂ３を反射して受光素子６０に導く。ここで、レンズＬ１は、光フェーズドアレイ３１から射出された照明光Ｂ２の発散を防止しつつ遠視野状態での照明を可能にする。また、レンズＬ２は、対象ＯＢで反射された計測光Ｂ３を受光素子６０の感光部６１上に結像させる。受光素子６０は、照明された対象からの計測光の強度を検出する計測センサーである。受光素子６０は、光源部２０の波長に感度を有しており、波長選択フィルターを付随させることができる。受光素子６０は、受光素子駆動部８２に駆動されて動作し、感光部６１に入射した計測光Ｂ３の強度信号を出力する。なお、図１３は、対象ＯＢからの反射光を計測する系を一例として示しているが、対象ＯＢを透過した光を計測することでも同様にイメージングを行うことができる。
【００６０】
光照射装置１００は、制御装置７０の制御下で光ビーム形成部３０を動作させ、対象ＯＢの表面ＯＢａ上で例えばスポット状の光ビームを２次元的に走査させることができる。受光素子６０は、制御装置７０の制御下で受光素子駆動部８２に駆動されて計測光Ｂ３のパターン信号の経時的な変化を計測する。光照射装置１００は、スポット状の光ビームの走査位置及び走査タイミングから、対象ＯＢの立体的形状を計測することができる。
【００６１】
〔第５実施形態〕
以下、第５実施形態に係るイメージング装置等について説明する。なお、第５実施形態に係るイメージング装置は、第１実施形態の光照射装置を組み込んだものであって、第４実施形態に係るイメージング装置を部分的に変更したものであり、特に説明しない部分については、第１又は第４実施形態と同様である。
【００６２】
図１４に示すように、第５実施形態のイメージング装置２００は、図１に示す構造を有する光照射装置１００の他に、照明用及び計測用の観察光学系４０と、照明光Ｂ２の照射状態を分布として検出する照明像センサー５０と、照明光Ｂ２によって照明された対象ＯＢからの計測光Ｂ３の強度を検出する受光素子５６０とを備える。
【００６３】
光照射装置１００の光フェーズドアレイ３１の光出力部３１ｄからは、ランダムな位相分布を有する位相状態に制御された照明光Ｂ２が射出される。さらに、照明光Ｂ２は、時系列的に高速で変化し、光出力部３１ｄからは、それ自体がランダムな位相分布を有する照明光Ｂ２が互いに異なるＮ個のパターンとして射出される。つまり、これらＮ個のパターン又はＮ種の照明光Ｂ２は、いずれもランダムな位相分布を有し、時系列的にもランダムに変化する。なお、各パターンにおいて、ランダムな位相の分布範囲は、±１８０°であり、偏りのないものとなっている。
【００６４】
光フェーズドアレイ３１を構成する位相調整部３１ｂがＸ方向に１次元の場合、光出力部３１ｄから１次元配列のランダムな位相分布又はパターンを有する照明光Ｂ２を射出させる。位相調整部３１ｂがＸＹ方向に２次元の場合、光出力部３１ｄから２次元配列のランダムな位相分布又はパターンを有する照明光Ｂ２を射出させることができる。
【００６５】
観察光学系４０は、分岐ミラー４３と、複数のレンズＬ１，Ｌ２２，Ｌ３とを備える。分岐ミラー４３は、光フェーズドアレイ３１からの照明光Ｂ２を分割して、一部を対象ＯＢに入射させるとともに、残りを照明像センサー５０に入射させる。また、分岐ミラー４３は、対象ＯＢの表面ＯＢａでの散乱によって反射された戻り光である計測光Ｂ３を反射して受光素子５６０に導く。ここで、レンズＬ１は、光フェーズドアレイ３１から射出された照明光Ｂ２の発散を防止しつつ遠視野状態での照明を可能にする。また、レンズＬ２２は、対象ＯＢで反射された計測光Ｂ３の光束径を絞って受光素子５６０の感光部５６１に一括入射させる。レンズＬ３は、レンズＬ１と協働して照明像センサー５０の感光面５１に遠視野像として照明光Ｂ２のパターンを形成する。以上において、受光素子５６０は、対象ＯＢで反射された計測光の強度を一括して検出し、照明像センサー５０は、光フェーズドアレイ３１から射出された照明光の遠視野像を検出する。なお、図１４は、対象ＯＢからの反射光を計測する系を一例として示しているが、対象ＯＢを透過した光を計測することでも同様にイメージングを行うことができる。
【００６６】
照明像センサー５０は、ＣＭＯＳ、ＣＣＤ等の半導体イメージセンサーである。照明像センサー５０は、光源部２０の波長に感度を有しており、波長選択フィルターを付随させることができる。照明像センサー５０は、感光面５１に形成された照明光Ｂ２のパターンを検出し検出画像として取り込む。この際、画素位置ごとに照明光Ｂ２の強度値が検出される。上記のように、光フェーズドアレイ３１によって照明光Ｂ２がＮパターンで射出されるので、照明光Ｂ２の検出画像もＮ個得られる。
【００６７】
制御装置７０は、インターフェース部７２及びＯＰＡ駆動部３２を介して光フェーズドアレイ３１等を動作させ、ランダムな位相分布を有する照明光Ｂ２を複数個のパターンで射出させる。情報処理部７１は、照明像センサー５０によって撮影された検出画像を、タイミング情報とともにインターフェース部７２を介して受け取る。制御装置７０は、受光素子５６０によって検出された計測光Ｂ３の強度を、タイミング情報とともにインターフェース部７２を介して受け取る。情報処理部７１は、照明像センサー５０から取得した照明光Ｂ２の検出画像や受光素子５６０から取得した計測光Ｂ３の強度値を一時的に記憶部７３に保管するとともに、これらの検出画像や強度値から得た対象ＯＢの状態を計測結果又は再構成画像として保管する。この際、情報処理部７１は、照明像センサー５０上の位置情報（具体的には、図示の対象ＯＢ上でＸ座標又はＸＹ座標に対応し、照明像センサー５０上でＺ軸に対応する座標Ｘ等の値）を前提として、照明像センサー５０の検出情報と受光素子５６０の検出情報から再構成画像を算出する。この再構成画像は、対象ＯＢの反射率といった対象ＯＢの状態を表す。
【００６８】
具体的には、情報処理部７１は、例えば１次元構造の光フェーズドアレイ３１からの１次元配列の照明光Ｂ２の位相分布をＮ回変化させつつ、受光素子５６０によって検出した総信号強度と、照明像センサー５０上の対象位置における信号強度とから再構成画像Ｏ（ｘ）を算出する。この再構成画像Ｏ（ｘ）は、最も単純には、
Ｏ（ｘ）
＝（１／Ｎ）×Σ｛（Ｓｒ−＜Ｓ＞）・Ｉｒ（ｘ）｝    …    （１）
で与えられる。ここで、値ｘは、図１の装置構成において対象ＯＢ上ではＸ軸に対応するが照明像センサー５０上ではＺ軸に対応する。照明像センサー５０上での値ｘは、画素に相当するディスクリートな値となる。また、値Ｎは、光フェーズドアレイ３１によって形成され出力されるランダムパターンの個数（自然数）を示す。値Ｓｒは、受光素子６０の計測値すなわち計測光Ｂ３の強度値を示す。値＜Ｓ＞は、ランダムパターンを変更したＮ回の計測で得られたＮ個の値Ｓｒの平均値を示す。Ｉｒ（ｘ）は、照明像センサー５０上の座標値ｘと、この座標値ｘに対応する画素での強度値すなわち検出輝度との関係を表す。さらに、Σは、値Ｓｒ，Ｉｒ（ｘ）の変数ｒを１〜Ｎまで変化させつつ（Ｓｒ−＜Ｓ＞）・Ｉｒ（ｘ）を加算することを意味する。この再構成画像Ｏ（ｘ）は、各座標値ｘに対して再構成画像の輝度値を与える。
【００６９】
以上の式（１）は、照明像センサー５０における１次元の画素列に関して再構成画像Ｏ（ｘ）を決定するものであるが、光フェーズドアレイ３１が２次元構造を有し照明像センサー５０が２次元画像を取得する場合、２次元の画素配列に関して再構成画像Ｏ（ｘ，ｙ）を決定する処理が行われる。この場合、再構成画像Ｏ（ｘ，ｙ）は、
Ｏ（ｘ，ｙ）
＝（１／Ｎ）×Σ｛（Ｓｒ−＜Ｓ＞）・Ｉｒ（ｘ，ｙ）｝    …    （２）
で与えられる。ここで、値ｙは、対象ＯＢ上ではＹ軸に対応し、照明像センサー５０上でもＹ軸に対応する。
【００７０】
なお、上記（１）式又は（２）式は、ランダムな照明パターンから対象ＯＢの再構成画像を得る手法（ゴーストイメージング）の一例であり、統計的処理、適正化処理等を付加することができ、或いは別のアルゴリズムによって対象ＯＢの再構成画像を得ることができる。
【００７１】
図１５（Ａ）及び１５（Ｂ）は、実施形態のイメージング装置２００を用いたシミュレーション結果を示すチャートである。図１５（Ａ）において、実線は、Ｍ＝１６個の射出ポート３８をゴロム定規に相当する最小冗長間隔で１次元に配列することによって得られる１次元のランダムな照明パターンを示している。横軸は、画素位置を示し、縦軸は照射強度を示す。なお、破線は、従来の均等配列によって達成される１次元のランダムな照明パターンを示しており、波形が鈍っている。実施例の光フェーズドアレイ３１によって１次元のランダムな照明パターンを極めて精密に形成できることが分かる。図１５（Ｂ）において、実線は、図１５（Ａ）の実線に対応し、Ｍ＝１６個の射出ポート３８をゴロム定規の最小冗長間隔で配列して得た１次元のランダムな照明パターンを利用して得られる再構成画像を示す。なお、点線は、復元対象である元の波形を示し、実施例の光フェーズドアレイ３１によって極めて精密な画像再構成が可能であることが分かる。破線は、図１５（Ｂ）の破線に対応し、従来の均等配列によって達成されるランダム照明を利用して得られる再構成画像を示す。
【００７２】
図１６（Ａ）は、Ｍ＝１６個の射出ポート３８をコスタス配列に相当する第１タイプの最小冗長間隔で２次元的に配列した場合におけるランダムパターンの生成を示す。この場合、細かなランダムパターンが形成されており、高分解能での画像再構成が可能であることが分かる。図１６（Ｂ）は、Ｍ＝１６個の射出ポート３８をゴロム定規を縦横に繰り返した第２タイプの最小冗長間隔で４×４の２次元アレイ状に配列した場合におけるランダムパターンの形成を示す。この場合、図１６（Ａ）よりも粗いが、細かなランダムパターンが形成されており、比較的高分解能での画像再構成が可能であることが分かる。図１６（Ｃ）は、Ｍ＝１６個の射出ポート３８を等間隔で４×４の２次元アレイ状に配列した場合におけるランダムパターンの形成を示す。この場合、粗いパターンしか形成することができず、高分解能の画像再構成が容易でないことが分かる。
【００７３】
〔第６実施形態〕
以下、第６実施形態に係るイメージング装置等について説明する。なお、第６実施形態に係るイメージング装置は、第５実施形態を変形したものであり、特に説明しない部分については、第５実施形態と同様である。
【００７４】
第６実施形態のイメージング装置では、光フェーズドアレイ（ＯＰＡ）を動作させるための電極を簡便なものとしている。
【００７５】
図１７に示すように、第６実施形態のイメージング装置に用いる光フェーズドアレイ６３１は、複数の光路であるＭ個の導波路３６をこれよりも少ない電極３３ｅ〜３３ｈで動作させる。図示の例では、７個の導波路３６を４つの電極３３ｅ〜３３ｈで動作させる例となっている。この場合、各電極３３ｅ〜３３ｈに印可する電圧Ｖ１〜Ｖ４の値をランダムに変化させる。これにより、光出力部３１ｄからランダムな位相分布を有する照明光Ｂ２を射出させることができる。
【００７６】
第６実施形態のイメージング装置では、光フェーズドアレイ６３１において、複数の導波路３６に亘って配置されるとともに互いに異なるランダムな形状パターンを有する位相調整用の複数の電極３３ｅ〜３３ｈを設け、これら複数の電極３３ｅ〜３３ｈの組み合わせ方によってランダムな位相分布の照明光Ｂ２を射出する。この結果、空間分解能を下げないで電極数を大幅に削減することができ、光フェーズドアレイ６３１の小型化が可能になり、光フェーズドアレイ６３１の駆動方法を簡素化することができる。
【００７７】
〔その他〕
以上実施形態に即して本発明を説明したが、本発明は、上記実施形態に限定されるものではない。例えば、図示した射出ポート３８の配列は単なる例示であり、最小冗長間隔となる様々な配列が可能である。
【００７８】
導波路３６については、光ファイバーのような導光路に置き換えることができ、位相調整部３１ｂは、光ファイバーと接続した光位相変調器に置き換えるようなものとできる。
【００７９】
実施形態のイメージング装置２００のうち、３次元画像を取得するものについては、例えばＬＩＤＡＲ（Light Detection and Ranging）の分野に用いることができ、前方に存在する物体を弁別するために用いることができる。さらに、実施形態のイメージング装置２００は、バーコードリーダー、生体イメージング、顕微鏡等の分野に用いることもできる。
【符号の説明】
【００８０】
３ａ…入射端、  ３ｃ…射出端、  ２０…光源部、  ２１…コヒーレント光源、  ２２…光源駆動回路、  ３０…光ビーム形成部、  ３１…光フェーズドアレイ、  ３１ａ…光分岐部、  ３１ｂ…位相調整部、  ３１ｃ…光入力部、  ３１ｄ…光出力部、  ３２…駆動部、  ３６…導波路、  ３６…各導波路、  ３６…導波路、  ３７ａ…電極、  ３７ａ…各電極、  ３７ａ…電極、  ３７ｂ…配線、  ３７ｂ…各配線、  ３１ｓ…基板、  ３８…射出ポート、  ４０…観察光学系、  ４３…分岐ミラー、  ４４…第、  ５０…照明像センサー、  ５１…感光面、  ６０…受光素子、  ６１…感光部、  ７０…制御装置、  ７１…情報処理部、  ７２…インターフェース部、  ７３…記憶部、  ８１…駆動部、  ８２…受光素子駆動部、  ９１…入出力部、  １００…光照射装置、  １００ｃ…レンズ、  １３１ｄ…ポートアレイ、  ２００…イメージング装置、  Ｂ２…照明光、  Ｂ２１…照明光、  Ｂ２２…照明光、  Ｂ３…計測光、  Ｌ１，２２，Ｌ３…レンズ、  ＯＢ…対象、  ＯＢａ…表面
【図１】
2020112582.tif 000003
【図２】
2020112582.tif 000004
【図３】
2020112582.tif 000005
【図４】
2020112582.tif 000006
【図５】
2020112582.tif 000007
【図６】
2020112582.tif 000008
【図７】
2020112582.tif 000009
【図８】
2020112582.tif 000010
【図９】
2020112582.tif 000011
【図１０】
2020112582.tif 000012
【図１１】
2020112582.tif 000013
【図１２】
2020112582.tif 000014
【図１３】
2020112582.tif 000015
【図１４】
2020112582.tif 000016
【図１５】
2020112582.tif 000017
【図１６】
2020112582.tif 000018
【図１７】
2020112582.tif 000019